(57)【要約】【課題】電子機器において、小スペースで防水性を実現させることを目的とする。【解決手段】第１ケース１と第２ケース２とからなる筐体を有し、前記筐体内部への液体侵入を防ぐ防水構造を備えた電子機器であって、前記筐体の第１ケース１と第２ケース２は、互いに当接して嵌り合う当接部１ａ、２ａを有し、当接部１ａ、２ａは熱発泡剤含有接着材１２により接着して密閉構造を形成した。また、当接部１ａ、２ａには、発熱体１３を配置し、解体時はその発熱体１３により熱発泡剤含有接着材１２を発泡させて当接部１ａ、２ａを剥がすように構成した。【選択図】図１
2015092644.tif 000002
【特許請求の範囲】
【請求項１】
第１ケースと第２ケースとからなる筐体を有し、前記筐体内部への液体侵入を防ぐ防水構造を備えた電子機器であって、前記筐体の第１ケースと第２ケースは、互いに当接して嵌り合う当接部を有し、前記当接部は熱発泡剤含有接着材により接着して密閉構造を形成したことを特徴とする防水構造を備えた電子機器。
【請求項２】
前記当接部に発熱体を配置したことを特徴とする請求項１記載の防水構造を備えた電子機器。
【請求項３】
前記発熱体は、前記第１ケース及び前記第２ケースを形成する材料より熱変形温度が高い材料で形成したことを特徴とする請求項２記載の防水構造を備えた電子機器。
【請求項４】
前記熱発泡剤含有接着材の熱発泡温度は、筐体の第１ケース及び第２ケースを形成する材料の熱変形温度より低く設定したことを特徴とする請求項１記載の防水構造を備えた電子機器。
【発明の詳細な説明】
【技術分野】
【０００１】
本発明は、屋外や水辺付近での使用頻度が多い携帯端末装置や小型液晶表示装置などの内部への液体侵入を防ぐ防水構造を備えた電子機器に関する。
【背景技術】
【０００２】
近年、携帯端末装置や小型液晶表示装置などの電子機器においては、筐体を２つの部材で構成し、その接合部にパッキン材を挟持し、ねじで締結することにより筐体内部への液体侵入を防ぐ防水構造を備えた構造としている（例えば特許文献１参照）。
【先行技術文献】
【特許文献】
【０００３】
【特許文献１】特開２０１０−１０９７６８号公報
【発明の概要】
【発明が解決しようとする課題】
【０００４】
このような従来の構成では、複数本のねじ締結部を必要とするため、筐体内部に多数のボスを配置する構造となり、小型化の弊害となっていた。
【０００５】
本発明はこのような課題に鑑みなされたもので、小スペースで防水性を実現させることを目的とする。
【課題を解決するための手段】
【０００６】
このような課題を解決するために本発明は、第１ケースと第２ケースとからなる筐体を有し、前記筐体内部への液体侵入を防ぐ防水構造を備えた電子機器であって、前記筐体の第１ケースと第２ケースは、互いに当接して嵌り合う当接部を有し、前記当接部は熱発泡剤含有接着材により接着して密閉構造を形成したことを特徴とする。
【発明の効果】
【０００７】
本発明によれば、筐体の第１ケースと第２ケースは、互いに当接して嵌り合う当接部を有し、前記当接部は熱発泡剤含有接着材により接着して密閉構造を形成したことにより、小スペースで防水性を実現させることができ、また解体時は熱発泡剤含有接着材を加熱することにより、熱発泡剤含有接着材を発泡させて第１ケースと第２ケースを容易に分解することが可能となる。
【図面の簡単な説明】
【０００８】
【図１】本発明の一実施の形態による電子機器の要部構造を示す断面図
【図２】同電子機器の分解斜視図
【図３】同電子機器を組み立てる際の様子を示す断面図
【図４】本発明の他の実施の形態による電子機器の要部構造を示す断面図
【図５】同電子機器の分解斜視図
【発明を実施するための形態】
【０００９】
以下、本発明の一実施の形態による電子機器について、液晶表示装置を用いた携帯型電子機器を例にとって図面を参照しながら説明する。
【００１０】
図１は本発明の一実施の形態による携帯型電子機器の要部構造を示す断面図であり、図２はその携帯型電子機器の分解斜視図である。
【００１１】
図１、図２に示すように、筐体は、非磁性体の樹脂などの電気絶縁性材料からなる第１ケース１と第２ケース２とから構成されている。前記第１ケース１には、上面部に凹部による収納空間３が設けられ、その収納空間３には液晶表示装置４が両面接着テープ５により固定されて配置されている。また、液晶表示装置４上には、前記収納空間３の開口を塞ぐように保護パネル６が配置されている。この保護パネル６は、第１ケース１の収納空間３の周縁部に設けた段差部３ａに、保護パネル６の外周部を接着することにより配置されている。
【００１２】
前記第２ケース２には、前記第１ケース１とともに、防水構造の密閉空間を形成する収納空間７が設けられ、その収納空間７には電子回路基板８や電池９が配置されている。前記電子回路基板８は、前記収納空間７に設けた突起１０にねじ１１によりねじ止めされて固定され、前記電池９は、収納空間７の底部に両面接着テープ５により固定されることにより配置されている。
【００１３】
前記第１ケース１と第２ケース２は、互いに当接する当接部１ａ、２ａを有し、前記当接部１ａ、２ａにおいて、熱発泡剤含有接着材１２により接着して密閉構造を形成している。また、前記第１ケース１の当接部１ａには環状の凹部１ｂが設けられ、第２ケース２の当接部２ａには、前記凹部１ｂに嵌り合う環状の突条部２ｂが設けられている。さらに、前記当接部１ａ、２ａには、発熱体１３が凹部１ｂの底部に配置することにより設けられており、そしてその発熱体１３を覆うように熱発泡剤含有接着材１２を凹部１ｂに充填するとともに、その熱発泡剤含有接着材１２により第１ケース１と第２ケース２とを、当接部１ａ、２ａにおいて接着している。
【００１４】
ここで、前記発熱体１３は、前記第１ケース１及び前記第２ケース２を形成する材料より熱変形温度が高いステンレスや鋼板などの磁性材料からなる金属材料で構成され、外部からの電磁誘導加熱により発熱するものである。
【００１５】
また、前記熱発泡剤含有接着材１２の熱発泡温度は、第１ケース１及び第２ケース２を形成する材料の熱変形温度より低く設定している。なお、前記熱発泡剤含有接着材１２は、防水性を持たせるためシリコン系の接着材をベースに作製したものを使用している。また、前記熱発泡剤含有接着材１２において、熱発泡剤としては、常温で液体または固体の物質をマイクロカプセル化したもの、熱により物質がガス化するものなどがあり、常温で液体または固体の物質をマイクロカプセル化したものには、有機溶剤をマイクロカプセル化したものがある。また、熱により物質がガス化するものには、無機系と有機系があり、無機系発泡剤としては炭酸アンモニウム、炭酸水素アンモニウム、炭酸水素ナトリウム、亜硝酸アンモニウム、水素化ホウ素ナトリウム、アジト類などがある。一方有機系発泡剤としては、水、トリクロロモノフルオロメタンやジクロロモノフルオロメタンなどのハロゲン化フッ素化合物、アゾビスイソブチロニトリルやアゾジカルボンアミド、バリウムアゾジカルボキシレートなどのアゾ系化合物、パラトルエンスルホニルヒドラジドやジフェニルスルフォン−３，３′−ジスルホニルヒドラジド、４，４′−オキシビス（ベンゼンスルフォニルヒドラジド）、アリルビス（スルホニルヒドラジド）などのヒドラジン系化合物、Ｐ−トルイレンスルホニルセミカルバジドや４，４′−オキシビス（ベンゼンスルホニルセミカルバジド）などのセミカルバジド系化合物、５−モルホリル−１，２，３，４−チアトリアゾールなどのトリアゾール系化合物、Ｎ，Ｎ′−ジニトロソペンタメチレンテトラミンやＮ，Ｎ′−ジメチル−Ｎ，Ｎ′−ニトロソテレフタルアミドなどのＮ−ニトロソ系化合物等が挙げられる。
【００１６】
以上のように本発明においては、第１ケース１と第２ケース２とからなる筐体を有し、前記筐体内部への液体侵入を防ぐ防水構造を備え、そして前記筐体の第１ケース１と第２ケース２は、互いに当接して嵌り合う当接部１ａ、２ａを有し、前記当接部１ａ、２ａは熱発泡剤含有接着材１２により接着して密閉構造を形成したものである。
【００１７】
このような本発明の電子機器においては、電磁誘導加熱装置を用いて外部より発熱体１３を発熱させることにより、熱発泡剤含有接着材１２が発泡温度以上になると、図３に示すように、前記熱発泡剤含有接着材１２が膨張または発泡し、第１ケース１と第２ケース２とを密閉して接着していた当接部１ａ、２ａが剥がれることとなり、容易に解体することができる。また、解体後、第１ケース１と第２ケース２とを再度接着したい場合は、熱発泡剤含有接着材１２を塗布して接着すればよい。
【００１８】
すなわち、ねじなどを用いることなく、第１ケース１と第２ケース２からなる筐体の防水構造を実現することができ、これにより少ないスペースで防水構造を実現することができる。
【００１９】
図４は本発明の他の実施の形態による携帯型電子機器の要部構造を示す断面図であり、図５はその携帯型電子機器の分解斜視図である。
【００２０】
この図４、図５に示す実施の形態においては、第２ケース２の開口部に第１ケース１を嵌め合わせる構造とし、第１ケース１の外周部１ｃと第２ケース２の内周部２ｃとにそれぞれ当接部１ａ、２ａを形成したものである。そして、その当接部１ａ、２ａ上に熱発泡剤含有接着材１２を塗布して、第１ケース１と第２ケース２とを接着することにより密閉して防水構造を実現したものである。
【００２１】
また、当接部１ａ、２ａに塗布した熱発泡剤含有接着材１２上に、環状の金属材料からなる発熱体１３を被せるように配置したものである。
【００２２】
この実施の形態の電子機器においても、電磁誘導加熱装置を用いて外部より発熱体１３を発熱させることにより、熱発泡剤含有接着材１２が発泡温度以上になると、熱発泡剤含有接着材１２が膨張または発泡し、第１ケース１と第２ケース２とを密閉して接着していた当接部１ａ、２ａが剥がれることとなり、容易に解体することができる。
【００２３】
上記実施の形態においては、第１ケース１と第２ケース２の当接部１ａ、２ａに発熱体１３を配置し、電磁誘導加熱装置を用いて外部より発熱体１３を発熱させることにより、熱発泡剤含有接着材１２の発泡剤を発泡させる構成としたが、第１ケース１と第２ケース２の当接部１ａ、２ａに発熱体１３を設けずに、外部より熱風などを当てて熱発泡剤含有接着材１２の発泡剤を発泡させる構成としてもよい。
【００２４】
以上のように本発明によれば、第１ケース１と第２ケース２とからなる筐体を有し、前記筐体内部への液体侵入を防ぐ防水構造を備えた電子機器であって、前記筐体の第１ケース１と第２ケース２は、互いに当接して嵌り合う当接部１ａ、２ａを有し、前記当接部１ａ、２ａは熱発泡剤含有接着材１２により接着して密閉構造を形成したものであり、小スペースで防水性を実現させることができ、また解体時は熱発泡剤含有接着材１２を加熱することにより、熱発泡剤含有接着材１２を発泡させて第１ケース１と第２ケース２を容易に分解することが可能となる。
【産業上の利用可能性】
【００２５】
以上のように本発明によれば、小型の電子機器の防水構造を実現する上で有用な発明である。
【符号の説明】
【００２６】
１  第１ケース
２  第２ケース
１ａ、２ａ  当接部
３、７  収納空間
４  液晶表示装置
５  両面接着テープ
６  保護パネル
８  電子回路基板
９  電池
１０  突起
１１  ねじ
１２  熱発泡剤含有接着材
１３  発熱体
【図１】
2015092644.tif 000003
【図２】
2015092644.tif 000004
【図３】
2015092644.tif 000005
【図４】
2015092644.tif 000006
【図５】
2015092644.tif 000007